(57)【要約】  車両の良好な始動ギヤの自動的選択のための方法及び装置において、車両停止状態で第１車両始動ギヤを嵌合させるステップ（Ｓ２，Ｓ３２）と、ドライバの要求により、第１車両発進の達成を試行するように推進トルクを制御するステップ（Ｓ３，Ｓ３３）と、前記第１車両始動ギヤが前記第１車両発進を中断して前記車両を制動するステップ（Ｓ４，Ｓ３４）と、前記第１車両始動ギヤを解離させるステップ（Ｓ７，Ｓ３７）と、前記第１始動ギヤと比較して低いギヤである第２始動ギヤを嵌合させるステップ（Ｓ８，Ｓ３８）と、第２車両発進の達成を試行するように推進トルクを制御するステップと、前記第２車両発進の試行の結果、発進を実施するのに充分なトルクが前記車両の従動輪に伝達される場合に、前記車両の制動を停止させるステップ（Ｓ９，Ｓ３９）と、含む。本発明の利点は、誤って選択された始動ギヤが自動的に変化することである。前記始動ギヤの変化は上り坂の状況において達成される。【選択図】図２
2011518064.tif 000002
【特許請求の範囲】
【請求項１】
車両の良好な始動ギヤの自動的または半自動的選択のための方法において、
記載の順序で実行される以下のステップ、すなわち、
車両停止状態で第１車両始動ギヤを選択して嵌合させるステップ（Ｓ２，Ｓ３２）と、
ドライバの要求により、第１車両発進の達成を試行するように車両推進トルクを制御するステップ（Ｓ３，Ｓ３３）と、
前記第１車両始動ギヤが前記第１車両発進の主要条件には高過ぎるかどうかを検出するステップ（Ｓ４，Ｓ３４）と、
前記第１車両始動ギヤが高過ぎる場合に、前記第１車両発進を中断して前記車両を制動するステップ（Ｓ６，Ｓ３６）と、
前記第１車両始動ギヤを解離させるステップ（Ｓ７，Ｓ３７）と、
前記第１始動ギヤと比較して低いギヤであるギヤ比の高い第２始動ギヤを選択して嵌合させるステップ（Ｓ８，Ｓ３８）と、
第２車両発進の達成を試行するように車両推進トルクを制御するステップと、
前記第２車両発進の試行の結果、発進を実施するのに充分なトルクが前記車両の従動輪に伝達される場合に、前記車両の制動を停止させるステップ（Ｓ９，Ｓ３９）と、
を実行するように構成されることを特徴とする方法。
【請求項２】
前記第１始動ギヤでは前記第１車両発進が可能でないことを検出する前記ステップが、前記第１車両発進の試行中に前記クラッチで発生する熱エネルギーを計算することと、前記熱エネルギーが所定の熱エネルギーリミットを超えた場合に前記第１車両発進の試行を中断することとにより行われることを特徴とする、請求項１に記載の方法。
【請求項３】
前記第１始動ギヤでは前記第１車両発進が可能でないことを検出する前記ステップが前記ドライバにより行われることと、前記第１車両発進を中断する次のステップが前記ドライバにより手動で実施されることとを特徴とする、請求項１に記載の方法。
【請求項４】
前記第１車両発進を中断する前記ステップが、低速ギヤを手動で選択する前記ドライバにより実施されることを特徴とする、請求項１乃至３のいずれか１項に記載の方法。
【請求項５】
前記第２発進の試行の結果、前記車両を少なくとも停止状態に維持するのに充分なトルクが前記従動輪に伝達される場合に、クラッチが完全に嵌合して前記車両が発進するまでクラッチのクラッチ嵌合の制御を継続する（Ｓ１０，Ｓ３１０）ことを特徴とする、請求項１乃至４のいずれか１項に記載の方法。
【請求項６】
車両の従動輪（５）に駆動接続されたステージギヤオートマチックトランスミッション（３，４）に駆動接続された推進ユニット（２）と、前記車両を停止させるように構成された制動装置（６）と、前記推進ユニットを制御するように構成された少なくとも一つの制御ユニット（７）とを包含し、前記オートマチックトランスミッションと前記制動装置とが異なる入力信号に依存する車両において、前記制御ユニット（７）が、記載の順序で以下のステップ、すなわち、
車両停止状態において、前記トランスミッションが前記推進ユニットから解離された時に、第１車両始動ギヤを選択して嵌合させるステップ（Ｓ２，Ｓ３２）と、
ドライバの要求により、第１車両発進の達成を試行するように、前記推進ユニットにより発生される車両推進トルクと、前記推進ユニットへの前記トランスミッションの嵌合とを制御するステップ（Ｓ３，Ｓ３３）と、
前記第１車両始動ギヤが前記第１車両発進の主要条件には高過ぎるかどうかを検出するステップ（Ｓ４，Ｓ３４）と、
前記第１車両始動ギヤが高過ぎる場合に、前記第１車両発進を中断して、前記制動装置の作動により前記車両を制動するステップ（Ｓ６，Ｓ３６）と、
前記第１車両始動ギヤを解離させるステップ（Ｓ７，Ｓ３７）と、
前記第１始動ギヤと比較して低速のギヤであるギヤ比の高い第２車両始動ギヤを選択して嵌合させるステップ（Ｓ８，Ｓ３８）と、
第２車両発進の達成を試行するように、前記推進ユニットにより発生される車両推進トルクと、前記トランスミッションの嵌合とを制御するステップと、
前記第２車両発進の試行の結果、発進の実施に充分なトルクが前記従動輪に伝達される場合に、前記制動装置を作動停止させるステップ（Ｓ９，Ｓ３９）と、
を実行するように構成されることを特徴とする、車両。
【請求項７】
前記コンピュータプログラムがコンピュータで実行される時に、請求項１に記載された方法を実行するためのプログラムコードを包含するコンピュータプログラム。
【請求項８】
前記コンピュータプログラムが前記コンピュータで実行される時に、請求項１に記載の方法を実行するためコンピュータ読取可能媒体に記憶されたプログラムコードを包含するコンピュータプログラム製品。
【請求項９】
コンピュータの内部メモリへの直接ロードが可能なコンピュータプログラム製品であって、前記コンピュータプログラム製品の前記コンピュータプログラムが前記コンピュータで実行される時に、請求項１に記載の方法を実行するためのコンピュータプログラムを包含するコンピュータプログラム製品。
【発明の詳細な説明】
【技術分野】
【０００１】
本発明は、以下の請求項１の前文に記載された、車両の良好な始動ギヤの自動的または半自動的選択のための方法に関連する。
【０００２】
本発明はまた、請求項６の前文に記載された、良好な始動ギヤの自動的または半自動的選択のためのステップを実施するように構成された制御ユニットを包含する車両にも関連する。
【０００３】
本発明はまた、かかる方法を実行するためのコンピュータプログラムおよびコンピュータプログラム製品に関連する。
【背景技術】
【０００４】
自動機械的トランスミッション（ＡＭＴ）は、マイクロプロセッサシステムの発展拡大とともに大型車両ではより一般的になっており、適切なエンジン速度でスムーズなギヤチェンジが常に達成されるように、制御コンピュータと、サーボモータなどいくつかの制御装置とにより、例えばエンジン速度、エンジンとギヤボックスとの間のオートマチックディスククラッチそしてギヤボックスクラッチ部材の相互間の嵌合および解離の精密な調整が可能である。
【０００５】
ＡＭＴタイプのギヤボックスは通常、入力シャフトと、入力シャフトの歯車と係合する少なくとも一つの歯車を有する中間シャフトと、中間シャフトの歯車と係合する歯車を備えるメインシャフトとを包含する。そしてメインシャフトはさらに、例えばプロペラシャフトを介して駆動輪に連結された出力シャフトに接続されている。各歯車対は、ギヤボックス内の別の歯車対と異なるギヤ比を有する。異なる歯車対がエンジンから駆動輪へトルクを伝達するという点で、異なる伝達比が得られる。
【０００６】
コンピュータ技術の発展は、車両エンジンの電子制御およびフィードバックシステムにも影響を与え、これらのシステムは、より精密に、より高速に、そして主要なエンジンおよび環境条件に対してより適応可能になっている。燃焼プロセス全体は、作動状況にしたがって精密に制御される。主としてエンジンへの燃料供給を制御する車両のスロットルレバー（例えばアクセルペダル）は、電気配線および電子信号を介して車両のエンジンを制御する。そのため、スロットルレバーは、スロットルレバーの位置、すなわちどのスロットル開度が必要とされるかを検出するためのセンサを装備する。
【０００７】
車両発進のプロセスでは、上記のオートマチックディスククラッチがＡＭＴに含まれ、スロットルレバーの位置、エンジンの回転速度、エンジン出力トルク、ディスククラッチの位置に関する、そして、ディスククラッチがちょうどトルクの伝達を始めた時に基づいて選択されるディスククラッチの基準位置（牽引位置）からの情報によって、通常は制御され、この牽引位置は定義が比較的容易である。基準位置で伝達されるトルクは一般的に、３０Ｎｍ程度でよい。エンジン出力トルクは、エンジンへ噴射される燃料の量からたいていは計算される。始動の手順および操作では、車両は一般的に静止、または事実上の静止状態から始動し、エンジンはアイドリング速度で手順を開始する。ディスククラッチの位置、ゆえにエンジンからギヤボックスへ伝達されるトルクを決定する嵌合度は、ドライバがスロットルレバーをどの位置にするかに主として左右される。始動ギヤが選択されて嵌合した直後にディスククラッチが基準位置を取るという点において、ディスククラッチの基準位置は、車両のドライバに車両発進を正確に制御させるのに使用される。車両は即時発進の準備が整っている。こうして、多くの状況では、アクセルペダルが踏まれた時に、あったとしてもわずかなフラットスポットしかドライバは体感しない。そのため、ドライバは理論上では直接的な反応を得て、車両は原則として、アクセルペダルが踏まれ始めるとすぐに、移動を開始するのである。
【０００８】
ＡＭＴにおける適切な始動ギヤの選択は、通常、少なくとも道路勾配および車両重量などのパラメータによる計算に基づく。この計算が多数の車両始動状況をカバーするとしても、計算では予測できない車両条件の変化により、選択された始動ギヤが正しくないことが時々ある。このような状況の一つは、トラックが道路の水平部分にあってトレーラが下り坂にある状態で長距離トラックが駐車されていた時である。始動ギヤ選択の観点から見ると、駐車時のトレーラおよびトラックが空であって、その後で発進前にトレーラに積載が行なわれた時には、この状況はさらに悪くなる可能性がある。このような計算では、トレーラの重量変化と、それが下り坂に駐車されていたこととはおそらく考慮されないだろう。こうして、高過ぎる始動ギヤをＡＭＴが選択する可能性が非常に高くなり、トレーラの重量の増加と、推進力を妨げる下り坂にトレーラが駐車されていたこととにより、不都合な車両発進が起こる可能性が非常に高い。例えば、常用ブレーキを作動させることにより、ドライバは、不都合な発進の試行を中断して、トラックの後退を防止しなければならないだろう。この時には、ＡＭＴ制御ユニットは条件の変化を把握していないので、より適切な始動ギヤが手動で選択されなければならないだろう。
【発明の概要】
【発明が解決しようとする課題】
【０００９】
そのため、上述したような発進へのドライバの対処をさらに容易にする必要がある。これが、後述する本発明の主な目的である。
【課題を解決するための手段】
【００１０】
本発明による方法に関する本発明の目的を達成する手段は、請求項１に記載され、請求項６の装置でもある。他の請求項には、本発明による方法の実施形態および発展形が記載されている（請求項２乃至５）。
【００１１】
本発明による方法には、車両の良好な始動ギヤの自動的または半自動的選択のための方法が記載されている。かかる方法は、記載された順序で実行される以下のステップ、すなわち、
−車両停止状態で第１車両始動ギヤを選択して嵌合させるステップと、
−ドライバの要求により、第１車両発進の達成を試行するように車両推進トルクを制御するステップと、
−第１車両始動ギヤが第１車両発進の主要条件には高過ぎるかどうかを検出するステップと、
−第１車両始動ギヤが高過ぎる場合に、第１車両発進を中断して車両を制動するステップと、
−第１車両始動ギヤを解離させるステップと、
−第１始動ギヤと比較して低いギヤであるギヤ比の高い第２始動ギヤを選択して嵌合させるステップと、
−第２車両発進の達成を試行するように車両推進トルクを制御するステップと、
−第２車両発進の試行の結果、発進を実施するのに充分なトルクが車両の従動輪に伝達された場合に、車両の制動を停止するステップと、
を特徴とする。
【００１２】
本発明による方法の長所は、誤選択された始動ギヤが自動的または半自動的に変更されることである。さらなる長所は、始動ギヤの変更が登坂状況で実施されることである。ゆえに、車両が間違った方向に進む危険を冒すことなく、誤選択された始動ギヤの変更が可能であろう。
【００１３】
本発明による方法の好都合な第二実施形態によれば、第１始動ギヤにより第１車両発進が可能でないことを検出するステップは、第１車両発進の試行中にクラッチで発生する熱エネルギーを計算することと、熱エネルギーが所定の熱エネルギーリミットを超えた場合に第１車両発進の試行を中断することとにより行われる。始動ギヤが誤選択された場合には、これは好都合な検出方法である。
【００１４】
本発明による方法のさらに好都合な実施形態によれば、第１始動ギヤにより第１車両発進が可能でないことを検出するステップがドライバによって行われてもよい。第１車両発進を中断する次のステップは、ドライバにより手動で実施されるとよい。こうして、操作上の自由がドライバに多く与えられる。第１車両発進を中断するステップは、例えばギヤシフトレバーを操作することでドライバが低速ギヤを手動で選択することにより実施される。
【００１５】
本発明による方法のさらに好都合な実施形態によれば、第２発進の試行の結果、少なくとも停止状態に車両を維持するのに充分なトルクが従動輪に伝達されることになった場合、クラッチが完全に嵌合して車両が発進するまで、クラッチのクラッチ嵌合の制御を継続する。この嵌合点がさらに、適切な始動ギヤ選択およびクラッチ嵌合プロセスを指示する。
【００１６】
本発明のさらに好都合な実施形態は、後続する従属請求項に提示される。
【００１７】
本発明のさらに好適な実施形態を例として示す添付図面を参照して、本発明を以下でさらに詳細に説明する。
【図面の簡単な説明】
【００１８】
【図１】本発明の目的を達成するための装置の実施形態の概略図を示す。
【図２】本発明の二つの異なる実施形態の異なるステップを開示する二つの異なる流れ図の一方を示す。
【図３】本発明の二つの異なる実施形態の異なるステップを開示する二つの異なる流れ図の他方を示す。
【図４】本発明の実施形態により使用されるコンピュータ装置を図式的に示す。
【発明を実施するための形態】
【００１９】
図１は、図の例では車両の従動輪５を制動するように構成された制動装置６とともに、車両の駆動系１を概略的に開示している。この車輪５は、ステージギヤオートマチックトランスミッション３，４およびプロペラシャフト８を介して推進ユニット２により周知の方法で駆動される。オートマチックトランスミッションは、クラッチ３および自動化マニュアルトランスミッション（ＡＭＴ）４、またはダブルクラッチトランスミッション（ＤＣＴ）３，４、またはトルクコンバータ３およびオートマチックギヤボックス４を包含する。この推進ユニットは、燃焼エンジンか、燃焼エンジンと電動モータ／発電機との組合せ、いわゆるハイブリッド電気自動車（ＨＥＶ）でよい。制動装置６は図の例では、例えば車両のドライバによってブレーキペダル（不図示）を通して周知の方法で制御される常用ブレーキとして開示されている。本発明では、車両を停止させるための補助ブレーキまたは電気ブレーキ（例えばモータ／発電機）などの常用ブレーキと組み合わせて、または常用ブレーキの代わりに、車両の他の制動装置を使用することも可能である。
【００２０】
制御ユニット７は、推進ユニットの回転速度、トランスミッションの入力／出力シャフトの回転速度、選択されたトランスミッションのギヤ、そして例えばアクセルペダルおよびブレーキペダルを通したドライバ入力など、様々な入力信号にしたがって、推進ユニット２およびそのトルク出力、オートマチックトランスミッション３，４、そして制動装置６を周知の方法で制御するように構成されるとよい。代替実施形態において制御ユニットは、例えばネットワークを通して接続された二つまたは複数の制御ユニットを包含してもよい。本発明によるこの制御機能が、制御ユニットの間で分割されてもよい。
【００２１】
本発明の一実施形態によれば、制御ユニット７は、車両停止状態で第１車両始動ギヤを選択して嵌合させ、トランスミッションが推進ユニット２から解離されるようにプログラムされている。制御手順がＳ１から開始する図２の流れ図のＳ２を参照すること。ドライバがギヤシフトレバー（不図示）を通してオートマチックモードを選んだ場合には、例えば始動ギヤが自動的に選択されて嵌合する。制御ユニットによりギヤのこのような嵌合が実行されても、ドライバが始動ギヤの手動選択を行うことも可能である。トランスミッション３，４が推進ユニットから解離されることが意味しているのは、例えば、推進ユニットとステージギヤトランスミッション（クラッチを備えるＤＣＴまたはＡＭＴ）の間に解離クラッチ３が配設されていることであり、また、トルクコンバータのオイルが空であることは、推進ユニットからステージギヤトランスミッションまでトルクコンバータがトルクを伝達しないことを意味する。制御ユニット７はさらに、第１車両発進の達成を試行する（図２のＳ３）ように、例えばアクセルペダルを通したドライバの要求により、推進ユニットにより発生する車両推進トルクと推進ユニットへのトランスミッションの嵌合とを制御するようにプログラムされている。このような発進試行は、周知の方法で実施される。こうして推進ユニットはトランスミッションと段階的に嵌合し、推進ユニットにより伝えられたトルクが漸増的に従動車輪へ伝達される。第１始動ギヤが高過ぎる、つまりギヤ比が低過ぎると、自動化クラッチを備えるＡＭＴまたはＤＣＴなどの層状クラッチをトランスミッションが包含する場合には過剰なクラッチ磨耗が起こる。この磨耗の測定は、クラッチスリップ中に発生する熱エネルギーを計算することでよい。これは、トルクを入手して、クラッチでの回転速度差をこれに掛け、掛けた合計を一定時間にわたって積分することによって行われる。計算された、第１車両発進のクラッチスリップ中に発生した熱が所定値を超えた場合には、第１始動ギヤが高過ぎる始動ギヤであるので（図２のＳ４および「イエス」）、本発明による制御ユニットはこれを検出するようにプログラムされている。ゆえに、主要な車両始動状況では、第１始動ギヤは誤選択されたことになる。始動ギヤが高過ぎない場合には、発進試行を完了させるように制御ユニットはプログラムされている（図２のＳ５および「ノー」）。
【００２２】
始動ギヤが高過ぎる場合、制御ユニット７は、第１車両発進を自動的に中断させ（Ｓ６）、制動装置を作動させてから第１車両始動ギヤを解離する（Ｓ７）ことにより車両を制動する。制動装置が作動すると、車両が停止する、および／または、例えば上り坂で始動する時に、選択された進行方向とは反対の進行方向に移動することが防止される。第１始動ギヤが解離されると、第１始動ギヤよりも低いギヤである第２車両始動ギヤを選択して嵌合させるように制御ユニットはプログラムされており（Ｓ８）、この第２始動ギヤは、第１始動ギヤよりも高いギヤ比を持つ。本発明の一実施形態では、第１発進試行の中断の後に、可能な最低の始動ギヤを直接選択するように制御ユニットがプログラムされている。第２始動ギヤが嵌合すると、推進ユニットにより発生される推進トルクとトランスミッションの嵌合とを、第２車両発進を達成するように制御することにより、第２車両発進試行を開始するように制御ユニットがプログラムされている（Ｓ９）。可能な最低の始動ギヤによる第２発進試行の完了により、図２の手順が終了する。
【００２３】
ドライバが、例えばアクセルペダルを操作して、推進ユニットから一定トルク出力を要求することにより、第１車両発進試行が開始された。このドライバ入力は、推進ユニットおよびクラッチ（またはトルクコンバータ）を所定の方法で制御するように制御ユニットに指示する。ドライバは、第２発進試行の前に同じトルク出力の要求を継続することができ、こうしてドライバは、両方の発進試行中に同じトルク出力を要求し続けることができるのである。第２車両発進試行の結果、発進を実施するのに充分なトルクが従動輪５に伝達された場合には、本発明による制御ユニットは制動装置６を作動停止させるようにプログラムされている（Ｓ９も参照）。制動装置の作動停止は既定の制御方法で段階的に行われ、従動輪への伝達トルクの段階的上昇につながる。このように制動装置の作動停止を制御することは、それ自体が周知である。また第２発進試行中には、熱エネルギーを計算して所定値と比較することによりクラッチ磨耗が測定される。計算された熱エネルギー値が所定値を下回り、従動輪５へのトルクの伝達が車両を少なくとも停止状態に維持するのに充分であり、制動装置６が作動停止している場合には、クラッチが完全に嵌合して車両が発進するまでクラッチを嵌合させ続けるように制御ユニットはプログラムされている。
【００２４】
図３に開示された本発明の代替実施形態の一つでは、最低ギヤが選択されて発進が試行されるまで、上記の始動プロセスが反復される。こうして、始動ギヤが一度に１ギヤ段階ずつ下げられる。図３で、ステップＳ３１からＳ３９は図２のステップＳ１からＳ９に対応する。違いの一つは、図３の手順では、ステップＳ３８で可能な最低の始動ギヤでなく、代わりに次に低い始動ギヤが選択されることである。図３のステップＳ３１０において、第２始動ギヤも高過ぎるかどうかを検出するように制御ユニットがプログラムされている。高過ぎない場合には、完了するまでＳ３１１で発進試行が継続し、イエスの場合には、ステップＳ３６へ戻って発進試行を中断してさらに低い始動ギヤで別の発進試行の準備をするように、制御ユニットがプログラムされている。
【００２５】
本発明のさらなる実施形態では、第１発進試行がどれほど不適切であったかを解釈し、その結果として適した低い第２始動ギヤを選択するように、制御ユニットがプログラムされるとよい。例えば、第１発進試行が３速で実施された場合には、制御ユニットは、第２発進試行の前に２速と１速との間から選択する。上述した始動ギヤの間の選択は、クラッチスリップ中の熱エネルギーを再び計算し、またトランスミッションのギヤボックスの入力シャフトの回転速度を追加情報として記録するようにプログラムされた制御ユニットにより決定される。このようにして、この発進試行が成功にどれほど近かったかを制御ユニットは評価できる。入力シャフトの回転速度が比較的低かった場合には、１速（この場合には可能な最低のギヤと同じ）が新たな始動ギヤとして選択されるだろう。入力シャフトの回転速度が相対的に高かった場合には、次の始動ギヤとして２速が選択されるだろう。
【００２６】
上述した本発明の実施形態すべてで制御ユニット７により検討される他の入力は、推進ユニットの回転速度である、つまり、一定量のトルクを駆動輪へ伝達して適切な車両発進を達成できるようにするため推進ユニットから入手可能なトルク出力を、回転速度が決定するのである。
【００２７】
図２による本発明の代替実施形態では、第１始動ギヤによって第１車両発進が可能でないことを検出するステップＳ３が、代わりにドライバによって検出される。ゆえに、選択および嵌合した始動ギヤが高過ぎることにドライバが気付いた場合、例えば、ギヤシフトレバーを通して別の始動ギヤを直接選択することにより、ドライバは発進試行を中断できる。ドライバは、可能な最低のギヤを選択する（ステップＳ８に対応）か、第１始動ギヤより低いギヤを単に選択する（ステップＳ３８に対応）。この手動による中断および始動ギヤの選択は、ステップＳ６からＳ１０に対応するステップを自動的に実施するように制御ユニット７を始動させる。
【００２８】
さらなる実施形態では、発進試行が開始される前、つまり例えばアクセルペダルを踏むことによりドライバが発進を要求する前に、選択された始動ギヤをドライバが変更することが可能である。このような実施形態では、低い第２始動ギヤを手動で選択すると、ステップＳ６からＳ１０に対応するステップを実施するように制御ユニット７を自動的に始動させる。
【００２９】
ドライバによって開始される、上述した二つの半自動的実施形態は、相互に、または良好な始動ギヤを選択するための上記の本発明の完全自動的実施形態と組み合わされてもよい。
【００３０】
良好な始動ギヤを選択する上記の完全自動的実施形態による機能のみを車両が有するという本発明の実施形態が存在することは、言うまでもない。
【００３１】
上述した実施形態すべてでは、深刻なトランスミッションの磨耗の危険を伴わずに最低ギヤで始動することが可能でない場合にはドライバに警告するように、制御ユニットがプログラムされている。
【００３２】
図４は、不揮発性メモリ５２０とプロセッサ５１０とリードライトメモリ５６０とを包含する、本発明の一実施形態による装置５００を示している。メモリ５２０は、装置５００を制御するためのコンピュータプログラムが記憶された第１メモリ部分５３０を有する。装置５００を制御するためのメモリ部分５３０のコンピュータプログラムは、オペレーティングシステムである。装置５００は、例えば制御ユニット７などの制御ユニットに格納されている。データ処理ユニット５１０は、例えばマイクロコンピュータを包含してもよい。
【００３３】
メモリ５２０は、本発明によりエンジンとクラッチとトランスミッションと制動装置とを制御するためのプログラムが記憶された第２メモリ部分５４０も有する。代替実施形態では、本発明による機能を持つプログラムは、例えばＣＤまたは交換可能な半導体メモリなど、独立した不揮発性データ記憶媒体５５０に記憶される。プログラムは、実行可能な形または圧縮状態で記憶されるとよい。
【００３４】
データ処理ユニット５１０が特定機能を実行すると以下に記載される時には、メモリ５４０に記憶されたプログラムの特定部分または不揮発性記録媒体５５０に記憶されたプログラムの特定部分をデータ処理ユニット５１０が実行していることは明らかなはずである。
【００３５】
データ処理ユニット５１０は、データバス５１４を通したメモリ５５０との通信のための構成を持つ。データ処理ユニット５１０はまた、データバス５１２を通したメモリ５２０との通信のための構成も持つ。加えて、データ処理ユニット５１０は、データバス５１１を通したメモリ５６０との通信のための構成を持つ。データ処理ユニット５１０はまた、データバス５１５の使用によるデータポート５９０との通信のための構成も持つ。
【００３６】
本発明による方法は、データ処理ユニット５１０により、メモリ５４０に記憶されたプログラム、または不揮発性記録媒体５５０に記憶されたプログラムを実行するデータ処理ユニット５１０により実行される。
【００３７】
本発明は上記の実施形態に限定されると見なされるべきでなく、むしろ、以下の特許請求項の範囲内で他にもいくつかの変形および改良が考えられる。
【符号の説明】
【００３８】
１      駆動系
２      推進ユニット
３，４  ステージギヤオートマチックトランスミッション
５      車輪
６      制動装置
７      制御ユニット
８      プロペラシャフト
５００  装置
５１０  プロセッサ
５１１，５１２，５１４，５１５  データバス
５２０  不揮発性メモリ
５３０  第１メモリ部分
５４０  第２メモリ部分
５５０  不揮発性記録媒体
５６０  リードライトメモリ
５９０  データポート
【図１】
2011518064.tif 000003
【図２】
2011518064.tif 000004
【図３】
2011518064.tif 000005
【図４】
2011518064.tif 000006
【手続補正書】
【提出日】平成21年12月21日(2009.12.21)
【手続補正１】
【補正対象書類名】明細書
【補正対象項目名】全文
【補正方法】変更
【補正の内容】
【発明の詳細な説明】
【技術分野】
【０００１】
本発明は、以下の請求項１の前文に記載された、車両の良好な始動ギヤの自動的または半自動的選択のための方法に関連する。
【０００２】
本発明はまた、請求項７の前文に記載された、良好な始動ギヤの自動的または半自動的選択のためのステップを実施するように構成された制御ユニットを包含する車両にも関連する。
【０００３】
本発明はまた、かかる方法を実行するためのコンピュータプログラムおよびコンピュータプログラム製品に関連する。
【背景技術】
【０００４】
自動機械的トランスミッション（ＡＭＴ）は、マイクロプロセッサシステムの発展拡大とともに大型車両ではより一般的になっており、適切なエンジン速度でスムーズなギヤチェンジが常に達成されるように、制御コンピュータと、サーボモータなどいくつかの制御装置とにより、例えばエンジン速度、エンジンとギヤボックスとの間のオートマチックディスククラッチそしてギヤボックスクラッチ部材の相互間の嵌合および解離の精密な調整が可能である。
【０００５】
ＡＭＴタイプのギヤボックスは通常、入力シャフトと、入力シャフトの歯車と係合する少なくとも一つの歯車を有する中間シャフトと、中間シャフトの歯車と係合する歯車を備えるメインシャフトとを包含する。そしてメインシャフトはさらに、例えばプロペラシャフトを介して駆動輪に連結された出力シャフトに接続されている。各歯車対は、ギヤボックス内の別の歯車対と異なるギヤ比を有する。異なる歯車対がエンジンから駆動輪へトルクを伝達するという点で、異なる伝達比が得られる。
【０００６】
コンピュータ技術の発展は、車両エンジンの電子制御およびフィードバックシステムにも影響を与え、これらのシステムは、より精密に、より高速に、そして主要なエンジンおよび環境条件に対してより適応可能になっている。燃焼プロセス全体は、作動状況にしたがって精密に制御される。主としてエンジンへの燃料供給を制御する車両のスロットルレバー（例えばアクセルペダル）は、電気配線および電子信号を介して車両のエンジンを制御する。そのため、スロットルレバーは、スロットルレバーの位置、すなわちどのスロットル開度が必要とされるかを検出するためのセンサを装備する。
【０００７】
車両発進のプロセスでは、上記のオートマチックディスククラッチがＡＭＴに含まれ、スロットルレバーの位置、エンジンの回転速度、エンジン出力トルク、ディスククラッチの位置に関する、そして、ディスククラッチがちょうどトルクの伝達を始めた時に基づいて選択されるディスククラッチの基準位置（牽引位置）からの情報によって、通常は制御され、この牽引位置は定義が比較的容易である。基準位置で伝達されるトルクは一般的に、３０Ｎｍ程度でよい。エンジン出力トルクは、エンジンへ噴射される燃料の量からたいていは計算される。始動の手順および操作では、車両は一般的に静止、または事実上の静止状態から始動し、エンジンはアイドリング速度で手順を開始する。ディスククラッチの位置、ゆえにエンジンからギヤボックスへ伝達されるトルクを決定する嵌合度は、ドライバがスロットルレバーをどの位置にするかに主として左右される。始動ギヤが選択されて嵌合した直後にディスククラッチが基準位置を取るという点において、ディスククラッチの基準位置は、車両のドライバに車両発進を正確に制御させるのに使用される。車両は即時発進の準備が整っている。こうして、多くの状況では、アクセルペダルが踏まれた時に、あったとしてもわずかなフラットスポットしかドライバは体感しない。そのため、ドライバは理論上では直接的な反応を得て、車両は原則として、アクセルペダルが踏まれ始めるとすぐに、移動を開始するのである。
【０００８】
ＡＭＴにおける適切な始動ギヤの選択は、通常、少なくとも道路勾配および車両重量などのパラメータによる計算に基づく。この計算が多数の車両始動状況をカバーするとしても、計算では予測できない車両条件の変化により、選択された始動ギヤが正しくないことが時々ある。このような状況の一つは、トラックが道路の水平部分にあってトレーラが下り坂にある状態で長距離トラックが駐車されていた時である。始動ギヤ選択の観点から見ると、駐車時のトレーラおよびトラックが空であって、その後で発進前にトレーラに積載が行なわれた時には、この状況はさらに悪くなる可能性がある。このような計算では、トレーラの重量変化と、それが下り坂に駐車されていたこととはおそらく考慮されないだろう。こうして、高過ぎる始動ギヤをＡＭＴが選択する可能性が非常に高くなり、トレーラの重量の増加と、推進力を妨げる下り坂にトレーラが駐車されていたこととにより、不都合な車両発進が起こる可能性が非常に高い。例えば、常用ブレーキを作動させることにより、ドライバは、不都合な発進の試行を中断して、トラックの後退を防止しなければならないだろう。この時には、ＡＭＴ制御ユニットは条件の変化を把握していないので、より適切な始動ギヤが手動で選択されなければならないだろう。
【０００９】
特許文献１は、第１嵌合始動ギヤにより充分な車両加速が実施されなかった場合に、連続シフトダウンが実施される、始動ギヤ選択手続きの例を開示している。
【先行技術文献】
【特許文献】
【００１０】
【特許文献１】国際公開第０２／０４２１０８号パンフレット
【発明の概要】
【発明が解決しようとする課題】
【００１１】
そのため、上述したような発進へのドライバの対処をさらに容易にする必要がある。これが、後述する本発明の主な目的である。
【課題を解決するための手段】
【００１２】
本発明による方法に関する本発明の目的を達成する手段は、請求項１に記載され、請求項６の装置でもある。他の請求項には、本発明による方法の実施形態および発展形が記載されている（請求項２乃至５）。
【００１３】
本発明による方法には、車両の良好な始動ギヤの自動的または半自動的選択のための方法が記載されている。かかる方法は、記載された順序で実行される以下のステップ、すなわち、
−車両停止状態で第１車両始動ギヤを選択して嵌合させるステップと、
−ドライバの要求により、第１車両発進の達成を試行するように車両推進トルクを制御するステップと、
−第１車両始動ギヤが第１車両発進の主要条件には高過ぎるかどうかを検出するステップと、
−第１車両始動ギヤが高過ぎる場合に、第１車両発進を中断して車両を制動するステップと、
−第１車両始動ギヤを解離させるステップと、
−第１始動ギヤと比較して低いギヤであるギヤ比の高い第２始動ギヤを選択して嵌合させるステップと、
−第２車両発進の達成を試行するように車両推進トルクを制御するステップと、
−第２車両発進の試行の結果、発進を実施するのに充分なトルクが車両の従動輪に伝達された場合に、車両の制動を停止するステップと、
を特徴とする。
【００１４】
本発明による方法の長所は、誤選択された始動ギヤが自動的または半自動的に変更されることである。さらなる長所は、始動ギヤの変更が登坂状況で実施されることである。ゆえに、車両が間違った方向に進む危険を冒すことなく、誤選択された始動ギヤの変更が可能であろう。
【００１５】
本発明による方法の好都合な第二実施形態によれば、第１始動ギヤにより第１車両発進が可能でないことを検出するステップは、第１車両発進の試行中にクラッチで発生する熱エネルギーを計算することと、熱エネルギーが所定の熱エネルギーリミットを超えた場合に第１車両発進の試行を中断することとにより行われる。始動ギヤが誤選択された場合には、これは好都合な検出方法である。
【００１６】
本発明による方法のさらに好都合な実施形態によれば、第１始動ギヤにより第１車両発進が可能でないことを検出するステップがドライバによって行われてもよい。第１車両発進を中断する次のステップは、ドライバにより手動で実施されるとよい。こうして、操作上の自由がドライバに多く与えられる。第１車両発進を中断するステップは、例えばギヤシフトレバーを操作することでドライバが低速ギヤを手動で選択することにより実施される。
【００１７】
本発明による方法のさらに好都合な実施形態によれば、第２発進の試行の結果、少なくとも停止状態に車両を維持するのに充分なトルクが従動輪に伝達されることになった場合、クラッチが完全に嵌合して車両が発進するまで、クラッチのクラッチ嵌合の制御を継続する。この嵌合点がさらに、適切な始動ギヤ選択およびクラッチ嵌合プロセスを指示する。
【００１８】
本発明のさらに好都合な実施形態は、後続する従属請求項に提示される。
【００１９】
本発明のさらに好適な実施形態を例として示す添付図面を参照して、本発明を以下でさらに詳細に説明する。
【図面の簡単な説明】
【００２０】
【図１】本発明の目的を達成するための装置の実施形態の概略図を示す。
【図２】本発明の二つの異なる実施形態の異なるステップを開示する二つの異なる流れ図の一方を示す。
【図３】本発明の二つの異なる実施形態の異なるステップを開示する二つの異なる流れ図の他方を示す。
【図４】本発明の実施形態により使用されるコンピュータ装置を図式的に示す。
【発明を実施するための形態】
【００２１】
図１は、図の例では車両の従動輪５を制動するように構成された制動装置６とともに、車両の駆動系１を概略的に開示している。この車輪５は、ステージギヤオートマチックトランスミッション３，４およびプロペラシャフト８を介して推進ユニット２により周知の方法で駆動される。オートマチックトランスミッションは、クラッチ３および自動化マニュアルトランスミッション（ＡＭＴ）４、またはダブルクラッチトランスミッション（ＤＣＴ）３，４、またはトルクコンバータ３およびオートマチックギヤボックス４を包含する。この推進ユニットは、燃焼エンジンか、燃焼エンジンと電動モータ／発電機との組合せ、いわゆるハイブリッド電気自動車（ＨＥＶ）でよい。制動装置６は図の例では、例えば車両のドライバによってブレーキペダル（不図示）を通して周知の方法で制御される常用ブレーキとして開示されている。本発明では、車両を停止させるための補助ブレーキまたは電気ブレーキ（例えばモータ／発電機）などの常用ブレーキと組み合わせて、または常用ブレーキの代わりに、車両の他の制動装置を使用することも可能である。
【００２２】
制御ユニット７は、推進ユニットの回転速度、トランスミッションの入力／出力シャフトの回転速度、選択されたトランスミッションのギヤ、そして例えばアクセルペダルおよびブレーキペダルを通したドライバ入力など、様々な入力信号にしたがって、推進ユニット２およびそのトルク出力、オートマチックトランスミッション３，４、そして制動装置６を周知の方法で制御するように構成されるとよい。代替実施形態において制御ユニットは、例えばネットワークを通して接続された二つまたは複数の制御ユニットを包含してもよい。本発明によるこの制御機能が、制御ユニットの間で分割されてもよい。
【００２３】
本発明の一実施形態によれば、制御ユニット７は、車両停止状態で第１車両始動ギヤを選択して嵌合させ、トランスミッションが推進ユニット２から解離されるようにプログラムされている。制御手順がＳ１から開始する図２の流れ図のＳ２を参照すること。ドライバがギヤシフトレバー（不図示）を通してオートマチックモードを選んだ場合には、例えば始動ギヤが自動的に選択されて嵌合する。制御ユニットによりギヤのこのような嵌合が実行されても、ドライバが始動ギヤの手動選択を行うことも可能である。トランスミッション３，４が推進ユニットから解離されることが意味しているのは、例えば、推進ユニットとステージギヤトランスミッション（クラッチを備えるＤＣＴまたはＡＭＴ）の間に解離クラッチ３が配設されていることであり、また、トルクコンバータのオイルが空であることは、推進ユニットからステージギヤトランスミッションまでトルクコンバータがトルクを伝達しないことを意味する。制御ユニット７はさらに、第１車両発進の達成を試行する（図２のＳ３）ように、例えばアクセルペダルを通したドライバの要求により、推進ユニットにより発生する車両推進トルクと推進ユニットへのトランスミッションの嵌合とを制御するようにプログラムされている。このような発進試行は、周知の方法で実施される。こうして推進ユニットはトランスミッションと段階的に嵌合し、推進ユニットにより伝えられたトルクが漸増的に従動車輪へ伝達される。第１始動ギヤが高過ぎる、つまりギヤ比が低過ぎると、自動化クラッチを備えるＡＭＴまたはＤＣＴなどの層状クラッチをトランスミッションが包含する場合には過剰なクラッチ磨耗が起こる。この磨耗の測定は、クラッチスリップ中に発生する熱エネルギーを計算することでよい。これは、トルクを入手して、クラッチでの回転速度差をこれに掛け、掛けた合計を一定時間にわたって積分することによって行われる。計算された、第１車両発進のクラッチスリップ中に発生した熱が所定値を超えた場合には、第１始動ギヤが高過ぎる始動ギヤであるので（図２のＳ４および「イエス」）、本発明による制御ユニットはこれを検出するようにプログラムされている。ゆえに、主要な車両始動状況では、第１始動ギヤは誤選択されたことになる。始動ギヤが高過ぎない場合には、発進試行を完了させるように制御ユニットはプログラムされている（図２のＳ５および「ノー」）。
【００２４】
始動ギヤが高過ぎる場合、制御ユニット７は、第１車両発進を自動的に中断させ（Ｓ６）、制動装置を作動させてから第１車両始動ギヤを解離する（Ｓ７）ことにより車両を制動する。制動装置が作動すると、車両が停止する、および／または、例えば上り坂で始動する時に、選択された進行方向とは反対の進行方向に移動することが防止される。第１始動ギヤが解離されると、第１始動ギヤよりも低いギヤである第２車両始動ギヤを選択して嵌合させるように制御ユニットはプログラムされており（Ｓ８）、この第２始動ギヤは、第１始動ギヤよりも高いギヤ比を持つ。本発明の一実施形態では、第１発進試行の中断の後に、可能な最低の始動ギヤを直接選択するように制御ユニットがプログラムされている。第２始動ギヤが嵌合すると、推進ユニットにより発生される推進トルクとトランスミッションの嵌合とを、第２車両発進を達成するように制御することにより、第２車両発進試行を開始するように制御ユニットがプログラムされている（Ｓ９）。可能な最低の始動ギヤによる第２発進試行の完了により、図２の手順が終了する。
【００２５】
ドライバが、例えばアクセルペダルを操作して、推進ユニットから一定トルク出力を要求することにより、第１車両発進試行が開始された。このドライバ入力は、推進ユニットおよびクラッチ（またはトルクコンバータ）を所定の方法で制御するように制御ユニットに指示する。ドライバは、第２発進試行の前に同じトルク出力の要求を継続することができ、こうしてドライバは、両方の発進試行中に同じトルク出力を要求し続けることができるのである。第２車両発進試行の結果、発進を実施するのに充分なトルクが従動輪５に伝達された場合には、本発明による制御ユニットは制動装置６を作動停止させるようにプログラムされている（Ｓ９も参照）。制動装置の作動停止は既定の制御方法で段階的に行われ、従動輪への伝達トルクの段階的上昇につながる。このように制動装置の作動停止を制御することは、それ自体が周知である。また第２発進試行中には、熱エネルギーを計算して所定値と比較することによりクラッチ磨耗が測定される。計算された熱エネルギー値が所定値を下回り、従動輪５へのトルクの伝達が車両を少なくとも停止状態に維持するのに充分であり、制動装置６が作動停止している場合には、クラッチが完全に嵌合して車両が発進するまでクラッチを嵌合させ続けるように制御ユニットはプログラムされている。
【００２６】
図３に開示された本発明の代替実施形態の一つでは、最低ギヤが選択されて発進が試行されるまで、上記の始動プロセスが反復される。こうして、始動ギヤが一度に１ギヤ段階ずつ下げられる。図３で、ステップＳ３１からＳ３９は図２のステップＳ１からＳ９に対応する。違いの一つは、図３の手順では、ステップＳ３８で可能な最低の始動ギヤでなく、代わりに次に低い始動ギヤが選択されることである。図３のステップＳ３１０において、第２始動ギヤも高過ぎるかどうかを検出するように制御ユニットがプログラムされている。高過ぎない場合には、完了するまでＳ３１１で発進試行が継続し、イエスの場合には、ステップＳ３６へ戻って発進試行を中断してさらに低い始動ギヤで別の発進試行の準備をするように、制御ユニットがプログラムされている。
【００２７】
本発明のさらなる実施形態では、第１発進試行がどれほど不適切であったかを解釈し、その結果として適した低い第２始動ギヤを選択するように、制御ユニットがプログラムされるとよい。例えば、第１発進試行が３速で実施された場合には、制御ユニットは、第２発進試行の前に２速と１速との間から選択する。上述した始動ギヤの間の選択は、クラッチスリップ中の熱エネルギーを再び計算し、またトランスミッションのギヤボックスの入力シャフトの回転速度を追加情報として記録するようにプログラムされた制御ユニットにより決定される。このようにして、この発進試行が成功にどれほど近かったかを制御ユニットは評価できる。入力シャフトの回転速度が比較的低かった場合には、１速（この場合には可能な最低のギヤと同じ）が新たな始動ギヤとして選択されるだろう。入力シャフトの回転速度が相対的に高かった場合には、次の始動ギヤとして２速が選択されるだろう。
【００２８】
上述した本発明の実施形態すべてで制御ユニット７により検討される他の入力は、推進ユニットの回転速度である、つまり、一定量のトルクを駆動輪へ伝達して適切な車両発進を達成できるようにするため推進ユニットから入手可能なトルク出力を、回転速度が決定するのである。
【００２９】
図２による本発明の代替実施形態では、第１始動ギヤによって第１車両発進が可能でないことを検出するステップＳ３が、代わりにドライバによって検出される。ゆえに、選択および嵌合した始動ギヤが高過ぎることにドライバが気付いた場合、例えば、ギヤシフトレバーを通して別の始動ギヤを直接選択することにより、ドライバは発進試行を中断できる。ドライバは、可能な最低のギヤを選択する（ステップＳ８に対応）か、第１始動ギヤより低いギヤを単に選択する（ステップＳ３８に対応）。この手動による中断および始動ギヤの選択は、ステップＳ６からＳ１０に対応するステップを自動的に実施するように制御ユニット７を始動させる。
【００３０】
さらなる実施形態では、発進試行が開始される前、つまり例えばアクセルペダルを踏むことによりドライバが発進を要求する前に、選択された始動ギヤをドライバが変更することが可能である。このような実施形態では、低い第２始動ギヤを手動で選択すると、ステップＳ６からＳ１０に対応するステップを実施するように制御ユニット７を自動的に始動させる。
【００３１】
ドライバによって開始される、上述した二つの半自動的実施形態は、相互に、または良好な始動ギヤを選択するための上記の本発明の完全自動的実施形態と組み合わされてもよい。
【００３２】
良好な始動ギヤを選択する上記の完全自動的実施形態による機能のみを車両が有するという本発明の実施形態が存在することは、言うまでもない。
【００３３】
上述した実施形態すべてでは、深刻なトランスミッションの磨耗の危険を伴わずに最低ギヤで始動することが可能でない場合にはドライバに警告するように、制御ユニットがプログラムされている。
【００３４】
図４は、不揮発性メモリ５２０とプロセッサ５１０とリードライトメモリ５６０とを包含する、本発明の一実施形態による装置５００を示している。メモリ５２０は、装置５００を制御するためのコンピュータプログラムが記憶された第１メモリ部分５３０を有する。装置５００を制御するためのメモリ部分５３０のコンピュータプログラムは、オペレーティングシステムである。装置５００は、例えば制御ユニット７などの制御ユニットに格納されている。データ処理ユニット５１０は、例えばマイクロコンピュータを包含してもよい。
【００３５】
メモリ５２０は、本発明によりエンジンとクラッチとトランスミッションと制動装置とを制御するためのプログラムが記憶された第２メモリ部分５４０も有する。代替実施形態では、本発明による機能を持つプログラムは、例えばＣＤまたは交換可能な半導体メモリなど、独立した不揮発性記憶媒体５５０に記憶される。プログラムは、実行可能な形または圧縮状態で記憶されるとよい。
【００３６】
データ処理ユニット５１０が特定機能を実行すると以下に記載される時には、メモリ５４０に記憶されたプログラムの特定部分または不揮発性記憶媒体５５０に記憶されたプログラムの特定部分をデータ処理ユニット５１０が実行していることは明らかなはずである。
【００３７】
データ処理ユニット５１０は、データバス５１４を通した記憶メモリ５５０との通信のための構成を持つ。データ処理ユニット５１０はまた、データバス５１２を通したメモリ５２０との通信のための構成も持つ。加えて、データ処理ユニット５１０は、データバス５１１を通したメモリ５６０との通信のための構成を持つ。データ処理ユニット５１０はまた、データバス５１５の使用によるデータポート５９０との通信のための構成も持つ。
【００３８】
本発明による方法は、データ処理ユニット５１０により、メモリ５４０に記憶されたプログラム、または不揮発性記憶媒体５５０に記憶されたプログラムを実行するデータ処理ユニット５１０により実行される。
【００３９】
本発明は上記の実施形態に限定されると見なされるべきでなく、むしろ、以下の特許請求項の範囲内で他にもいくつかの変形および改良が考えられる。
【符号の説明】
【００４０】
１      駆動系
２      推進ユニット
３，４  ステージギヤオートマチックトランスミッション
５      車輪
６      制動装置
７      制御ユニット
８      プロペラシャフト
５００  装置
５１０  プロセッサ
５１１，５１２，５１４，５１５  データバス
５２０  不揮発性メモリ
５３０  第１メモリ部分
５４０  第２メモリ部分
５５０  不揮発性記録媒体
５６０  リードライトメモリ
５９０  データポート
【手続補正書】
【提出日】平成22年2月9日(2010.2.9)
【手続補正１】
【補正対象書類名】明細書
【補正対象項目名】００１３
【補正方法】変更
【補正の内容】
【００１３】
本発明による方法には、車両の良好な始動ギヤの自動的または半自動的選択のための方法が記載されている。かかる方法は、記載された順序で実行される以下のステップ、すなわち、
−車両停止状態で第１車両始動ギヤを選択して嵌合させるステップと、
−ドライバの要求により、第１車両発進の達成を試行するように、車両の従動輪に推進ユニットを段階的に嵌合させることにより車両推進トルクを制御するステップと、
−第１車両始動ギヤが第１車両発進の主要条件には高過ぎるかどうかを検出するステップと、
−第１車両始動ギヤが高過ぎる場合に、第１車両発進を中断して車両を自動的に制動するステップと、
−第１車両始動ギヤを解離させるステップと、
−第１始動ギヤと比較して低いギヤであるギヤ比の高い、適合第２始動ギヤを選択して嵌合させるステップと、
−第２車両発進の達成を試行するように、従動輪に推進ユニットを段階的に嵌合させることにより車両推進トルクを制御するステップと、
−第２車両発進の試行の結果、発進を実施するのに充分なトルクが車両の従動輪に伝達された場合に、車両の制動を停止するステップと、
を特徴とする。
【手続補正２】
【補正対象書類名】特許請求の範囲
【補正対象項目名】全文
【補正方法】変更
【補正の内容】
【特許請求の範囲】
【請求項１】
車両の良好な始動ギヤの自動的または半自動的選択のための方法において、
記載の順序で実行される以下のステップ、すなわち、
車両停止状態で第１車両始動ギヤを選択して嵌合させるステップ（Ｓ２，Ｓ３２）と、
ドライバの要求により、第１車両発進の達成を試行するように、前記車両の従動輪へ推進ユニットを段階的に嵌合させることにより車両推進トルクを制御するステップ（Ｓ３，Ｓ３３）と、
前記第１車両始動ギヤが前記第１車両発進の主要条件には高過ぎるかどうかを検出するステップ（Ｓ４，Ｓ３４）と、
前記第１車両始動ギヤが高過ぎる場合に、前記第１車両発進を中断して前記車両を自動的に制動するステップ（Ｓ６，Ｓ３６）と、
前記第１車両始動ギヤを解離させるステップ（Ｓ７，Ｓ３７）と、
前記第１始動ギヤと比較して低いギヤであるギヤ比の高い、適合第２始動ギヤを選択して嵌合させるステップ（Ｓ８，Ｓ３８）と、
第２車両発進の達成を試行するように、前記従動輪に前記推進ユニットを段階的に嵌合させることにより車両推進トルクを制御するステップと、
前記第２車両発進の試行の結果、発進を実施するのに充分なトルクが前記車両の従動輪に伝達される場合に、前記車両の制動を停止させるステップ（Ｓ９，Ｓ３９）と、
を特徴とする方法。
【請求項２】
前記第１始動ギヤでは前記第１車両発進が可能でないことを検出する前記ステップが、前記第１車両発進の試行中に前記クラッチで発生する熱エネルギーを計算することと、前記熱エネルギーが所定の熱エネルギーリミットを超えた場合に前記第１車両発進の試行を中断することとにより行われることを特徴とする、請求項１に記載の方法。
【請求項３】
前記第１始動ギヤでは前記第１車両発進が可能でないことを検出する前記ステップが前記ドライバにより行われることと、前記第１車両発進を中断する次のステップが前記ドライバにより手動で実施されることとを特徴とする、請求項１に記載の方法。
【請求項４】
前記第１車両発進を中断する前記ステップが、低速ギヤを手動で選択する前記ドライバにより実施されることを特徴とする、請求項１乃至３のいずれか１項に記載の方法。
【請求項５】
前記第２発進の試行の結果、前記車両を少なくとも停止状態に維持するのに充分なトルクが前記従動輪に伝達される場合に、クラッチが完全に嵌合して前記車両が発進するまでクラッチのクラッチ嵌合の制御を継続する（Ｓ１０，Ｓ３１０）ことを特徴とする、請求項１乃至４のいずれか１項に記載の方法。
【請求項６】
前記適合第２始動ギヤの前記選択が、前記第１車両始動の試行がどれほど不適切であったかについての解釈に基づくことを特徴とする、請求項１に記載の方法。
【請求項７】
車両の従動輪（５）に駆動接続されたステージギヤオートマチックトランスミッション（３，４）に駆動接続された推進ユニット（２）と、前記車両を停止させるように構成された制動装置（６）と、前記推進ユニットを制御するように構成された少なくとも一つの制御ユニット（７）とを包含し、前記オートマチックトランスミッションと前記制動装置とが異なる入力信号に依存する車両において、前記制御ユニット（７）が、記載の順序で以下のステップ、すなわち、
車両停止状態において、前記トランスミッションが前記推進ユニットから解離された時に、第１車両始動ギヤを選択して嵌合させるステップ（Ｓ２，Ｓ３２）と、
ドライバの要求により、第１車両発進の達成を試行するように、前記従動輪に前記推進ユニットを段階的に嵌合させることにより、前記推進ユニットにより発生される車両推進トルクと、前記推進ユニットへの前記トランスミッションの嵌合とを制御するステップ（Ｓ３，Ｓ３３）と、
前記第１車両始動ギヤが前記第１車両発進の主要条件には高過ぎるかどうかを検出するステップ（Ｓ４，Ｓ３４）と、
前記第１車両始動ギヤが高過ぎる場合に、前記第１車両発進を中断して、前記制動装置の作動により前記車両を自動的に制動するステップ（Ｓ６，Ｓ３６）と、
前記第１車両始動ギヤを解離させるステップ（Ｓ７，Ｓ３７）と、
前記第１始動ギヤと比較して低速のギヤであるギヤ比の高い適合第２車両始動ギヤを選択して嵌合させるステップ（Ｓ８，Ｓ３８）と、
第２車両発進の達成を試行するように、前記従動輪に前記推進ユニットを段階的に嵌合させることにより、前記推進ユニットにより発生される車両推進トルクと、前記トランスミッションの嵌合とを制御するステップと、
前記第２車両発進の試行の結果、発進の実施に充分なトルクが前記従動輪に伝達される場合に、前記制動装置を作動停止させるステップ（Ｓ９，Ｓ３９）と、
を実行するように構成されることを特徴とする、車両。
【請求項８】
前記第１車両発進の試行がどれほど不適切であったかについての解釈に基づいて前記適合第２始動ギヤを選択するように前記制御ユニットが構成されることを特徴とする、請求項７に記載の車両。
【請求項９】
前記コンピュータプログラムがコンピュータで実行される時に、請求項１に記載された方法を実行するためのプログラムコードを包含するコンピュータプログラム。
【請求項１０】
前記コンピュータプログラムが前記コンピュータで実行される時に、請求項１に記載の方法を実行するためコンピュータ読取可能媒体に記憶されたプログラムコードを包含するコンピュータプログラム製品。
【請求項１１】
コンピュータの内部メモリへの直接ロードが可能なコンピュータプログラム製品であって、前記コンピュータプログラム製品の前記コンピュータプログラムが前記コンピュータで実行される時に、請求項１に記載の方法を実行するためのコンピュータプログラムを包含するコンピュータプログラム製品。
【国際調査報告】
2011518064.tif 000007
2011518064.tif 000008
2011518064.tif 000009